(57)【要約】    【課題】展開した日除けスクリーンがばたつくことがなく、しかも展開する際に異音を発することがないように改良された自動車用サンシェード装置を提供する。    【解決手段】引き出し自在に巻取装置３に巻回されると共にその前端に横バー８が取り付けられ且つ引き出し方向に直交する向きに延在する略線状のばね部材１３を備えたスクリーン２と、横バーの各端を摺合させるべくスクリーンの左右両側方に延設された１対のガイドレール４とを有し、横バーを進退駆動することによってスクリーンを展開・収納するようにした自動車用サンシェード装置１において、展開するスクリーンの側端部下面が摺接する軟質弾性材からなる支持部１４をガイドレールの上面に設けるものとする。【選択図】図１
2006192994.tif 000002
【特許請求の範囲】
【請求項１】
引き出し自在に巻取装置に巻回されると共にその前端に横バーが取り付けられ且つ引き出し方向に直交する向きに延在する略線状のばね部材を備えたスクリーンと、前記横バーの各端を摺合させるべく前記スクリーンの左右両側方に延設された１対のガイドレールとを有し、前記横バーを進退させることによって前記スクリーンを展開・収納するようにした自動車用サンシェード装置であって、
展開する前記スクリーンの側端部下面が摺接する軟質弾性材からなる支持部を前記ガイドレールの上面に設けたことを特徴とする自動車用サンシェード装置。
【発明の詳細な説明】
【技術分野】
【０００１】
本発明は、ガラスサンルーフの内側に遮光用として取り付けるロールスクリーン式の自動車用サンシェード装置に関するものである。
【背景技術】
【０００２】
引き出し自在に巻取装置に巻回された日除けスクリーンの前端に横バーを取り付けると共に、日除けスクリーンの左右両側方に１対のガイドレールを延設し、これら一対のガイドレールのそれぞれに横バーの各端を摺合させ、横バーをガイドレール上で進退させることによって日除けスクリーンを展開・収納するようにした自動車用サンシェード装置が知られている（特許文献１を参照されたい）。
【０００３】
特許文献１に記載のサンシェード装置においては、日除けスクリーンの引出方向に直交する向き（車幅方向）に延在する板ばね材などからなる芯材を適宜な前後方向間隔をおいて日除けスクリーンに縫い付けておき、展開した日除けスクリーンが車幅方向の垂直断面内において車体ルーフの内面に沿って湾曲するようにしている。
【特許文献１】特公平７−９０６９２号公報
【発明の開示】
【発明が解決しようとする課題】
【０００４】
この従来のサンシェード装置によると、芯材は、巻取軸に巻き取られる日除けスクリーンと共に順に巻き込まれ、引き出される日除けスクリーンと共に順に繰り出されるようになっている。
【０００５】
他方、車体ルーフの内面は、車体前後方向の垂直断面内でも中央が上向きに凸となるように湾曲しているので、この湾曲に沿って日除けスクリーンが展開するように、ガイドレールに適宜な曲率を付しておき、日除けスクリーンの側端がガイドレールで規制されるようにすると良い。
【０００６】
しかるに、日除けスクリーンの側端部がガイドレールに摺接するように構成すると、展開する日除けスクリーンと共に繰り出される芯材の取付部がガイドレールに当接し、その時に打音を発生することが考えられる。このような打音の発生は、商品の高級感を著しく阻害するので好ましいことではない。
【０００７】
本発明は、このような従来技術の不都合を解消すべく案出されたものであり、その主な目的は、展開した日除けスクリーンがばたつくことがなく、しかも展開する際に異音を発することがないように改良された自動車用サンシェード装置を提供することある。
【課題を解決するための手段】
【０００８】
このような課題を解決するために本発明の請求項１は、引き出し自在に巻取装置３に巻回されると共にその前端に横バー８が取り付けられ且つ引き出し方向に直交する向きに延在する略線状のばね部材１３を備えたスクリーン２と、横バーの各端を摺合させるべくスクリーンの左右両側方に延設された１対のガイドレール４とを有し、横バーを進退駆動することによってスクリーンを展開・収納するようにした自動車用サンシェード装置において、展開するスクリーンの側端部下面が摺接する軟質弾性材からなる支持部１４をガイドレールの上面に設けたことを特徴とするものとした。
【発明の効果】
【０００９】
このような本発明によれば、展開するスクリーンの左右両側端を支持部に摺接させることにより、展開時のスクリーンに車体ルーフ内面に沿う曲率を付与することができ、しかも軟質弾性材からなる支持部に線状のばね部材の取付部が当接するので、スクリーンが展開する際に打音を発生せずに済む。
【発明を実施するための最良の形態】
【００１０】
以下に添付の図面を参照して本発明について詳細に説明する。なお、ロールスクリーン式サンシェード装置自体は文献１に記載されている通り既に周知のものなので、巻取機構や車体との関係についての詳細な説明はここでは省略する。
【００１１】
図１・２は、本発明が適用された自動車用サンシェード装置の要部を示している。このサンシェード装置１は、柔軟なシート材により形成された日除けスクリーン２が巻回される巻取装置３と、日除けスクリーン２の開閉運動を案内すべく車体前後方向に延設された左右一対のガイドレール４とからなっている。
【００１２】
巻取装置３は、巻取軸５と、この巻取軸５の両端を支持するホルダ６と、これらのホルダ６をその両端に保持するケーシング７とにより構成されており、巻取軸５は、図示しないコイルばねによって日除けスクリーン２を巻取る方向に常時回転付勢されている。
【００１３】
日除けスクリーン２の前端には、アルミニウム合金の押出材からなる横バー８が結合されている。この横バー８の左右両端には、アルミニウム合金の押出材で形成されたガイドレール４のガイド溝９に摺合したスライドシュー１０が結合されている。
【００１４】
スライドシュー１０には、ガイドレール４に設けられた縦断面形状がＣ字形をなすケーブルガイド１１内に挿通された公知のプッシュプルケーブル１２の端末が結合されており、図示されない電動駆動機構から与えられる軸力によってプッシュプルケーブル１２を押し引き駆動することにより、日除けスクリーン２の前端に結合された横バー８を車体前後方向に進退移動させることができるようになっている。
【００１５】
このような構成により、日除けスクリーン２を展開させる際には、プッシュプルケーブル１２の押し出し動作によって横バー８を前進させることにより、コイルばねの付勢力に抗して日除けスクリーン２が引き出される。この逆に日除けスクリーン２を収納する際には、プッシュプルケーブル１２の引き込み動作によって横バー８を後退させることにより、コイルばねで付勢された巻取軸５が回転して日除けスクリーン２が巻き取られる。また、全閉位置と全開位置との間の任意の中間位置で電動駆動機構を停止することにより、日除けスクリーン２を静止させることができ、いずれの位置でもコイルばねの付勢力が日除けスクリーン２に作用するため、日除けスクリーン２の緊張状態が常に維持される。
【００１６】
日除けスクリーン２には、車体ルーフの内面における車幅方向の垂直断面内での湾曲面に沿う湾曲面を展開状態において付与するように、自由状態時に中央が上向きに凸となるように湾曲する棒状のばね部材１３が、日除けスクリーン２の展開時に上方を向く面に、引出し方向に対して直交する方向に延設されている。このばね部材１３は、日除けスクリーン２の引出し方向について適宜な間隔をおいて複数設けられており、収納時には日除けスクリーン２に巻き込まれて直線状に弾性変形されて巻取られるようになっている。
【００１７】
ガイドレール４は、車体ルーフの内面における車体前後方向の垂直断面内での湾曲面に対応した曲率で緩く湾曲させられており、この湾曲に沿って日除けスクリーン２が展開するように、日除けスクリーン２の左右側端縁の下面に当接する支持部材１４が、ガイドレール４における日除けスクリーン２の左右側端縁部に対応する部分に設けられている。この支持部材１４は、軟質材（例えばＥＰＤＭ）にて中空に形成されると共に、ガイドレール４に一体形成された取付溝１５に結合しており、その上面にシリコン剤がコーティングされている。この支持部材１４により、日除けスクリーン２の左右両側端の高さ位置が規定されている。
【００１８】
日除けスクリーン２を引き出す際に、繰り出されたばね部材１３の両端が日除けスクリーン２の端縁を挟んで支持部材１４に当接するが、支持部材１４が軟質材なので、打音を生ぜずに済む。また支持部材１４の日除けスクリーン２の摺接面には、シリコン剤がコーティングされているので、滑り摩擦抵抗が少なく、日除けスクリーン２の端縁が擦れて傷むことが防止される。
【産業上の利用可能性】
【００１９】
本発明にかかる車両用サンシェード装置は、日除けスクリーンの展開・収納動作時の擦過音や打音を低減する効果を有し、車体のガラスサンルーフの下面を覆う車両用サンシェード装置に有用である。
【図面の簡単な説明】
【００２０】
【図１】本発明によるサンシェード装置の要部の車体幅方向に沿う縦断面図である。
【図２】図１中のII−II線に沿う断面図である。
【符号の説明】
【００２１】
１  サンシェード装置
２  日除けスクリーン
３  巻取装置
４  ガイドレール
８  横バー
１３  ばね部材
１４  支持部材
【図１】
2006192994.tif 000003
【図２】
2006192994.tif 000004